(57)【要約】【課題】よりユーザビリティの高い配線器具を提供する。【解決手段】配線器具１０は、コンセント部１と、漏電検知制御部２と、接点機構部３とを備えている。コンセント部１は、プラグのピンが挿入される挿入口１ｃを表面１０ａａに有している。漏電検知制御部２は、コンセント部１と電気的に接続され電路の漏洩電流を検知する。漏電検知制御部２は、漏洩電流を検知すれば、上記電路を遮断する。接点機構部３は、上記電路の通電と遮断とを切り替える操作部３ａを有している。漏電検知制御部２は、漏洩電流を検知して接点部を開極する。漏電検知制御部２のハンドル２ｄは、接点部の開閉と連動して変位する。正面視において、コンセント部１の挿入口１ｃと、漏電検知制御部２のハンドル２ｄとの間には、操作部３ａが配置されている。【選択図】図１
2016019313.tif 000002
【特許請求の範囲】
【請求項１】
プラグのピンが挿入される挿入口を表面に有し前記プラグを介して外部電源からの電力を負荷に供給するコンセント部と、該コンセント部と電気的に接続され前記外部電源からの電力を前記負荷に供給する電路の漏洩電流を検知し前記電路を遮断する漏電検知制御部と、前記電路に設けられた接点機構部とを備え、
前記接点機構部は、前記電路の通電と、前記電路の遮断とを切り替える操作部を有しており、
前記漏電検知制御部は、前記電路に設けられる接点部と、前記接点部を開閉する開閉器と、漏洩電流を検知して前記接点部を開極するように前記開閉器を制御する開閉制御部と、前記接点部の開閉と連動して変位するハンドルとを備えており、
正面視において、前記コンセント部の前記挿入口と、前記漏電検知制御部の前記ハンドルとの間には、前記操作部が配置されていることを特徴とする配線器具。
【請求項２】
前記ハンドルは、前記接点部が閉極する第１位置と前記接点部が開極する第２位置との間で回転可能に構成されており、
前記ハンドルは、前記第１位置において前記表面に沿った平らな第１面を備えており、前記第２位置において前記第１面が前記表面に対して傾斜するように突出しており、
前記操作部は、前記電路を通電させるオン位置と前記電路を遮断するオフ位置との間で揺動可能に構成されており、
前記操作部は、前記オン位置と前記オフ位置の何れにおいても、前記表面に対して傾斜するように突出していることを特徴とする請求項１に記載の配線器具。
【発明の詳細な説明】
【技術分野】
【０００１】
本発明は、壁などの造営材に埋め込んで使用される配線器具に関し、特に、漏洩電流を検知すれば電路を遮断する配線器具に関する。
【背景技術】
【０００２】
従来、配線器具としては、電路の漏電を検出して遮断する機能を備えた電源コンセントが知られている（たとえば、特許文献１を参照）。
【０００３】
特許文献１の電源コンセントは、漏電ブレーカを内蔵しているが、漏電ブレーカにより電路が遮断された後について何ら記載されていない。
【先行技術文献】
【特許文献】
【０００４】
【特許文献１】特開２００６−４８９５８号公報
【発明の概要】
【発明が解決しようとする課題】
【０００５】
ところで、配線器具では、よりユーザビリティの高い配線器具が求められており、漏洩電流を検知し電路が遮断された状態であることをユーザが的確に認識しやすい構成とすることが望ましい。
【０００６】
本発明は上記事由に鑑みて為されており、その目的は、よりユーザビリティの高い配線器具を提供することにある。
【課題を解決するための手段】
【０００７】
本発明の配線器具は、コンセント部と、漏電検知制御部と、接点機構部とを備えている。上記コンセント部は、プラグのピンが挿入される挿入口を配線器具の表面に有している。上記コンセント部は、上記プラグを介して外部電源からの電力を負荷に供給する。上記漏電検知制御部は、上記コンセント部と電気的に接続されている。上記漏電検知制御部は、上記外部電源からの電力を上記負荷に供給する電路の漏洩電流を検知するように構成されている。上記漏電検知制御部は、漏洩電流を検知すれば、上記電路を遮断する。上記接点機構部は、上記電路に設けられている。上記接点機構部は、操作部を有している。上記操作部は、上記電路の通電と、上記電路の遮断とを切り替える。上記漏電検知制御部は、接点部と、開閉器と、開閉制御部と、ハンドルとを備えている。上記接点部は、上記電路に設けられる。上記開閉器は、上記接点部を開閉可能なように構成されている。上記開閉制御部は、漏洩電流を検知して上記接点部を開極するように上記開閉器を制御する。上記ハンドルは、上記接点部の開閉と連動して変位する。正面視において、上記コンセント部の上記挿入口と、上記漏電検知制御部の上記ハンドルとの間には、上記操作部が配置されていることを特徴とする。
【発明の効果】
【０００８】
本発明の配線器具は、よりユーザビリティを高くできる、という効果がある。
【図面の簡単な説明】
【０００９】
【図１】実施形態の配線器具を示す正面図である。
【図２】実施形態の配線器具を示す正面側の斜視図である。
【図３】実施形態の配線器具を示す背面側の斜視図である。
【図４】実施形態の配線器具を示す分解斜視図である。
【図５】実施形態の配線器具の要部を示す分解斜視図である。
【図６】実施形態の配線器具の動作を説明する動作説明図である。
【図７】実施形態の配線器具の要部を説明する側面図である。
【図８】実施形態の配線器具の要部を説明する別の側面図である。
【発明を実施するための形態】
【００１０】
本実施形態の配線器具１０について、図１ないし図８に基づいて説明する。図中において、同じ部材に対しては、同じ番号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１１】
本実施形態の配線器具１０は、図１ないし図４に示すように、コンセント部１と、漏電検知制御部２と、接点機構部３とを備えている。コンセント部１は、図示していないプラグのピンが挿入される挿入口１ｃを表面１０ａａに有している。コンセント部１は、図示していないが、上記プラグを介して外部電源からの電力を負荷に供給する。漏電検知制御部２は、コンセント部１と電気的に接続されている。漏電検知制御部２は、上記外部電源からの電力を上記負荷に供給する電路の漏洩電流を検知するように構成されている。漏電検知制御部２は、漏洩電流を検知すれば、上記電路を遮断する。接点機構部３は、上記電路に設けられている。
【００１２】
接点機構部３は、操作部３ａを有している。操作部３ａは、上記電路の通電と、上記電路の遮断とを切り替えるように構成されている。
【００１３】
漏電検知制御部２は、図５に示すように、接点部２２と、開閉器２５と、開閉制御部２３と、ハンドル２ｄとを備えている。接点部２２は、上記電路に設けられる。開閉器２５は、接点部２２を開閉可能なように構成されている。開閉制御部２３は、漏洩電流を検知して接点部２２を開極するように開閉器２５を制御する。ハンドル２ｄは、接点部２２の開閉と連動して変位するように構成されている。
【００１４】
配線器具１０の正面視において、コンセント部１の挿入口１ｃと、漏電検知制御部２のハンドル２ｄとの間には、操作部３ａが配置されている。
【００１５】
本実施形態の配線器具１０は、挿入口１ｃとハンドル２ｄとの間に操作部３ａを配置しているので、ハンドル２ｄよりも操作部３ａへの操作を行い易くし、漏洩電流が検知されたことをユーザに認識し易くさせ、よりユーザビリティを高くできるという効果がある。
【００１６】
以下では、本実施形態の配線器具１０のより具体的な構成について説明する。
【００１７】
配線器具１０は、図示していないが、建築物の壁面などの施工面に設置される。配線器具１０は、コンセント部１や漏電検知制御部２の一部が、施工面を構成する造営材の埋込穴に埋め込まれて設置される。配線器具１０は、正面側において、コンセント部１、漏電検知制御部２を覆うように、化粧プレートとなるプレート４が設けられている。配線器具１０は、コンセント部１と漏電検知制御部２とが、図３に示すように、第１電線８ａと第２電線８ｂとを用いて電気的に接続されている。
【００１８】
コンセント部１は、たとえば、英国工業規格（British Standard）に準拠した３ピンの接地極付きコンセントを構成している。コンセント部１は、定格電圧が２５０Ｖで、定格電流が１３Ａの接地極付きのコンセントとして機能している。コンセント部１は、第１器体１１を備えている。第１器体１１は、図４に示すように、第１ボディ１１ａと、第１カバー１１ｂとを備えている。第１器体１１は、正面視において、第１ボディ１１ａよりも、大きい第１カバー１１ｂを備えている。第１カバー１１ｂは、長尺の平板状に形成されている。第１カバー１１ｂは、第１ボディ１１ａを覆うように構成されている。コンセント部１は、図３や図４に示すように、第１カバー１１ｂの背面視において、第１カバー１１ｂの長手方向の一端部に、第１ボディ１１ａを配置している。第１器体１１は、第１ボディ１１ａと第１カバー１１ｂとを嵌め合わせて、内部が空洞な箱体を構成している。第１器体１１は、第１螺子１１ｃにより、第１ボディ１１ａと第１カバー１１ｂとを結合している。
【００１９】
第１ボディ１１ａは、電気絶縁性の樹脂材料により形成することができる。第１ボディ１１ａは、電気絶縁性の樹脂材料として、たとえば、ＡＢＳ(acrylonitrile butadiene styrene copolymer)樹脂やユリア樹脂などを用いて形成することができる。第１ボディ１１ａは、たとえば、加熱溶融させた樹脂材料を金型内に射出注入し、冷却固化させる射出成形により形成することができる。
【００２０】
第１カバー１１ｂは、電気絶縁性の樹脂材料により形成することができる。第１カバー１１ｂは、電気絶縁性の樹脂材料として、たとえば、ＡＢＳ樹脂やユリア樹脂などを用いることができる。第１カバー１１ｂは、たとえば、加熱溶融させた電気絶縁性の樹脂材料を金型内に射出注入し、冷却固化させる射出成形により形成することができる。第１カバー１１ｂは、一表面１１ｂａから前方に突出するＴ字状の第１突台部１１ｂ１を備えている。第１カバー１１ｂは、長手方向の中央部において、厚み方向に貫通する矩形状の第１貫通孔１１ｂｅが設けられている。第１貫通孔１１ｂｅは、正面視において、長手方向を第１カバー１１ｂの短手方向に沿って設けている。第１突台部１１ｂ１には、図示していないプラグの３つのピンが挿入される挿入口１ｃが設けられている。以下では、プラグの３つのピンが各別に挿入される挿入口１ｃを、それぞれ第１挿入口１ｃ１、第２挿入口１ｃ２および第３挿入口１ｃ３として説明する。
【００２１】
第１挿入口１ｃ１ないし第３挿入口１ｃ３の開口形状は、それぞれ矩形状としている。第１挿入口１ｃ１は、プラグにおける中性極となるＮ極のピンが挿入できるように構成されている。第２挿入口１ｃ２は、プラグにおける電圧側となるＬ極のピンが挿入できるように構成されている。第１挿入口１ｃ１は、長手方向が第１カバー１１ｂの長手方向に沿って設けられている。第２挿入口１ｃ２は、長手方向が第１カバー１１ｂの長手方向に沿って設けられている。第１挿入口１ｃ１と第２挿入口１ｃ２とは、長手方向が同一直線上に配置されている。第３挿入口１ｃ３は、プラグにおける接地極のピンが挿入できるように構成されている。第３挿入口１ｃ３は、第１カバー１１ｂの長手方向において、第１挿入口１ｃ１と第２挿入口１ｃ２との中点を通り、第１挿入口１ｃ１と第２挿入口１ｃ２の配列方向と直交する方向が長手方向となるように配置されている。第１カバー１１ｂは、第１螺子孔１１ｅと、第２螺子孔１１ｆとを長手方向の両側部に備えている。第１螺子孔１１ｅや第２螺子孔１１ｆには、図示していない取付螺子が挿通される。第１カバー１１ｂは、造営材の埋込穴に埋め込んで固定された埋込ボックスと、上記取付螺子により取り付けられる。第１カバー１１ｂは、第１螺子孔１１ｅを長孔とし、第２螺子孔１１ｆを丸孔としている。第１カバー１１ｂは、第１螺子孔１１ｅを長孔とし、第２螺子孔１１ｆを丸孔としていることで、造営面に対する第１カバー１１ｂの取り付け位置の調整を行えるように構成されている。
【００２２】
第１カバー１１ｂの四隅には、図３および図４に示すように、プレート４の背面から突出する係止片４ｄが挿入可能な孔部１１ｇが設けられている。係止片４ｄには、先端に爪４ｄａが設けられている。配線器具１０は、プレート４の係止片４ｄが孔部１１ｇに挿入され、爪４ｄａが孔部１１ｇの端縁に引っ掛けられることで、プレート４と第１カバー１１ｂとが着脱自在となるように構成されている。
【００２３】
コンセント部１は、第１器体１１の内部に扉体１２を備えている。扉体１２は、直方体状のスライド部１２ａと、スライド部１２ａの両側方から突出する扉部１２ｂとを備えている。第１カバー１１ｂは、図示していないが、背面において、第１挿入口１ｃ１と第２挿入口１ｃ２との間に、第１挿入口１ｃ１と第２挿入口１ｃ２との配列方向と直交する方向に沿った第１溝を備えている。コンセント部１は、第１カバー１１ｂの背面において、スライド部１２ａが第１溝に沿ってスライドできるように構成されている。扉体１２は、一対の扉部１２ｂのうち、一方の扉部１２ｂによって、第１挿入口１ｃ１を塞ぐことができるように構成されている。同様に、扉体１２は、一方とは反対の他方の扉部１２ｂによって第２挿入口１ｃ２を塞ぐことができるように構成されている。コンセント部１は、扉部１２ｂによって、第１挿入口１ｃ１と第２挿入口１ｃ２とを、開閉自在としている。
【００２４】
第１ボディ１１ａには、第１カバー１１ｂからの投影視において、第１挿入口１ｃ１と第２挿入口１ｃ２との間に、第１挿入口１ｃ１と第２挿入口１ｃ２との配列方向と直交する方向に沿った第２溝１１ｐが設けられている。第２溝１１ｐには、コイルばね１２ｆが収納される。コイルばね１２ｆは、一端が第２溝１１ｐの内端面と当接する。コイルばね１２ｆは、一端と反対の他端が、スライド部１２ａの背面から突出する突部１２ｅと当接する。扉体１２は、コイルばね１２ｆによって、第１挿入口１ｃ１と第２挿入口１ｃ２とを塞ぐ方向に弾性力が付与される。
【００２５】
扉部１２ｂは、第１カバー１１ｂの厚み方向に沿って、外部に向かって突出する傾斜部１２ｃを備えている。傾斜部１２ｃは、傾斜面１２ｃａを有している。傾斜面１２ｃａは、第２溝１１ｐに沿ったスライド部１２ａのスライド方向において、コイルばね１２ｆの弾性力の強度が強くなる方向に向かうにつれ、突出する突出量が大きくなるように傾斜している。コンセント部１では、プラグの２つのピンが第１挿入口１ｃ１と第２挿入口１ｃ２とに挿入されると、ピンの先端が傾斜部１２ｃの傾斜面１２ｃａに当接する。コンセント部１では、プラグのピンがさらに押し込まれると、ピンの先端が傾斜部１２ｃを押圧する。コンセント部１では、プラグのピンの押し込みにより、扉体１２がコイルばね１２ｆの弾性力に抗して、第１挿入口１ｃ１と第２挿入口１ｃ２とを塞ぐ位置から、第１挿入口１ｃ１と第２挿入口１ｃ２とを開口させる位置に移動する。コンセント部１では、プラグのピンが引き抜かれると、コイルばね１２ｆの復元力によって、扉体１２が第１挿入口１ｃ１と第２挿入口１ｃ２とを開口させる位置から、第１挿入口１ｃ１と第２挿入口１ｃ２とを塞ぐ位置に移動する。
【００２６】
第１ボディ１１ａは、図４に示すように、第１収納部１１ｈ、第２収納部１１ｉおよび第３収納部１１ｊを備えている。第１ボディ１１ａでは、第１収納部１１ｈ、第２収納部１１ｉや第３収納部１１ｊが、隔壁によって仕切られている。
【００２７】
第１収納部１１ｈは、第１ピン接続体１５ａが収納される。第１ピン接続体１５ａは、第１挿入口１ｃ１を介して挿入されるプラグの３つのピンのうちの１つのピンである第１ピンと、電気的および機械的に結合される。第２収納部１１ｉには、第２ピン接続体１５ｂが収納される。第２ピン接続体１５ｂは、第２挿入口１ｃ２を介して挿入されるプラグの３つのピンのうちの１つのピンである第２ピンに、電気的および機械的に結合される。第３収納部１１ｊには、第３ピン接続体１５ｃが収納される。第３ピン接続体１５ｃは、第３挿入口１ｃ３を介して挿入されるプラグの３つのピンのうちの１つのピンである第３ピンに、電気的および機械的に結合される。
【００２８】
また、第１ボディ１１ａは、３つの接続端子１６を各別に収納する３つの接続端子収納部を備えている。以下では、便宜上、３つの接続端子収納部を、第４収納部１１ｋ、第５収納部１１ｍおよび第６収納部１１ｎと称する。
【００２９】
第４収納部１１ｋは、３つの接続端子１６のうち、１つの接続端子１６として、第１接続端子１６ａが収納される。第１接続端子１６ａは、第１電線８ａを介して、第１ピン接続体１５ａと、漏電検知制御部２とを電気的に接続できるように構成されている。第５収納部１１ｍは、３つの接続端子１６のうち、１つの接続端子１６として、第２接続端子１６ｂが収納される。第２接続端子１６ｂは、第２電線８ｂを介して、第２ピン接続体１５ｂと、漏電検知制御部２とを電気的に接続できるように構成されている。第６収納部１１ｎは、３つの接続端子１６のうち、１つの接続端子１６として、第３接続端子１６ｃが収納される。第３接続端子１６ｃは、第３ピン接続体１５ｃと、図示していない外部の第３電線とを電気的に接続できるように構成されている。第３電線は、基準電位となるグランドに接続される。第１ボディ１１ａでは、第１ピン接続体１５ａと第２ピン接続体１５ｂとが並んで配置されている。
【００３０】
第１ピン接続体１５ａは、第１端子部１５ｄと、第２端子部１５ｅと、可動端子１５ｆとを備えている。第１端子部１５ｄは、ピン受部１３ａと、第１中央片１３ｂと、第１接続片１３ｄとを備えている。ピン受部１３ａは、プラグのピンを挟み持つことができるように構成されている。ピン受部１３ａは、プラグのピンを挟み持つことで、ピンと電気的および機械的に結合することができる。第１中央片１３ｂは、一端部にピン受部１３ａが配置されている。第１中央片１３ｂは、一端部とは反対の他端部に第１接続片１３ｄが配置されている。第１中央片１３ｂは、長尺の平板がＬ字形状に屈曲されて構成されている。第１接続片１３ｄは、可動端子１５ｆが当接できるように構成されている。第１端子部１５ｄは、ピン受部１３ａ、第１中央片１３ｂおよび第１接続片１３ｄを金属材料により一体的に形成することができる。第１端子部１５ｄの金属材料としては、たとえば、黄銅などを用いることができる。第１端子部１５ｄは、金属材料により構成された板材の打ち抜き加工や折り曲げ加工を利用して形成することができる。第１端子部１５ｄは、第１中央片１３ｂを第１ボディ１１ａの第３溝１１ｔ内に圧入することによって、第１ボディ１１ａに固定される。
【００３１】
第２端子部１５ｅは、差込片１３ｇと、第２中央片１３ｆと、第２接続片１３ｅとを備えている。第２中央片１３ｆは、一端に差込片１３ｇが配置されている。差込片１３ｇは、角筒状の第１接続端子１６ａの内部に、先端部が挿入できるように構成されている。第１ピン接続体１５ａは、第１接続端子１６ａに螺合する図示していない端子螺子と差込片１３ｇとの間で、第２電線８ｂを挟み込んで保持できるように構成している。第２中央片１３ｆは、一端とは反対の他端に第２接続片１３ｅが配置されている。第２接続片１３ｅは、端縁が曲げられて形成された凸状の支点突起１３ｅ１を備えている。第２端子部１５ｅは、差込片１３ｇ、第２中央片１３ｆおよび第２接続片１３ｅを金属材料により一体的に形成することができる。第２端子部１５ｅの金属材料としては、たとえば、銅と錫との合金を用いることができる。
【００３２】
可動端子１５ｆは、短冊状の平板に形成されている。可動端子１５ｆは、導電性材料により形成されている。可動端子１５ｆは、第１端子部１５ｄと第２端子部１５ｅとに接触して、ピン受部１３ａと第１接続端子１６ａとを電気的に接続可能なように構成されている。
【００３３】
第２ピン接続体１５ｂは、第１ピン接続体１５ａと同様に、第２端子部１５ｅや可動端子１５ｆを備えている。また、第２ピン接続体１５ｂは、Ｌ字形状の第１中央片１３ｂを備えた第１端子部１５ｄの代わりに、直線状の第３中央片１３ｃを備えた第３端子部１５ｇを用いた以外は第１ピン接続体１５ａと同様の構成としている。第３端子部１５ｇは、ピン受部１３ａと、第３中央片１３ｃと、第１接続片１３ｄとを備えている。第２ピン接続体１５ｂの第２端子部１５ｅは、第２接続端子１６ｂに螺合する図示していない端子螺子と差込片１３ｇとの間で、第１電線８ａを挟み込んで保持できるように構成している。第３端子部１５ｇは、第３中央片１３ｃを第１ボディ１１ａの第４溝１１ｓ内に圧入することによって、第１ボディ１１ａに固定されている。第２ピン接続体１５ｂの可動端子１５ｆは、第２ピン接続体１５ｂの第２端子部１５ｅと第３端子部１５ｇとに接続して、第３端子部１５ｇのピン受部１３ａと第２接続端子１６ｂとを電気的に接続できるように構成されている。
【００３４】
第３ピン接続体１５ｃは、プラグの接地極の第３ピンが電気的に接続されるように構成されている。第３ピン接続体１５ｃは、金属材料により形成されている。第３ピン接続体１５ｃは、一端にプラグの第３ピンと電気的および機械的に接続されるピン受部１３ａが設けられている。第３ピン接続体１５ｃは、一端と反対の他端において、第３接続端子１６ｃに先端が差し込まれる差込片１３ｇが設けられている。第３ピン接続体１５ｃは、導電材料により形成されている。
【００３５】
第１ピン接続体１５ａは、ピン受部１３ａを備えた第１端子部１５ｄと、差込片１３ｇを備えた第２端子部１５ｅとを、異なる材料を用いて構成することができる。同様に、第２ピン接続体１５ｂは、ピン受部１３ａを備えた第３端子部１５ｇと、差込片１３ｇを備えた第２端子部１５ｅとを、異なる材料を用いて構成することができる。第１ピン接続体１５ａと第２ピン接続体１５ｂとは、同一形状の第２端子部１５ｅや可動端子１５ｆを用いて構成されており、第２端子部１５ｅや可動端子１５ｆを共有することで、配線器具１０の部品数を削減してコストダウンを図ることができる。
【００３６】
第１接続端子１６ａは、矩形角筒状の外形形状に形成している。第１接続端子１６ａは、図示していないが、矩形角筒状の一面において、厚み方向に貫通する螺子孔が設けられている。第１接続端子１６ａは、螺子孔に端子螺子を螺合させることができるように構成している。第１接続端子１６ａは、端子螺子の先端部と、端子枠内に挿入された差込片１３ｇとの間に第２電線８ｂを挟むことができるように構成されている。同様に、第２接続端子１６ｂは、端子螺子の先端部と、端子枠内に挿入された差込片１３ｇとの間に第１電線８ａを挟むことができるように構成している。また、第３接続端子１６ｃは、図示していない端子螺子の先端部と、端子枠内に挿入された第３ピン接続体１５ｃの差込片１３ｇとの間に外部の電線を挟むことができるように構成している。第１接続端子１６ａ、第２接続端子１６ｂや第３接続端子１６ｃは、板金の折り曲げ加工により、矩形角筒状の外形形状に形成することができる。
【００３７】
本実施形態の配線器具１０は、上記電路における通電と遮断とを切り替えることが可能な接点機構部３がコンセント部１に内蔵されている。接点機構部３は、コンセント部１に内蔵されていているものだけに限られず、コンセント部１と別体に形成されていてもよい。
【００３８】
接点機構部３は、操作部３ａと、２つのコイルばね３ｂと、２つの滑動子１５ｋとを備えている。また、接点機構部３は、第１端子部１５ｄと、２つの第２端子部１５ｅと、２つの可動端子１５ｆと、第３端子部１５ｇとを備えた構成としている。
【００３９】
接点機構部３は、操作部３ａの操作により、コンセント部１のオンとオフとを切り替えるスイッチを構成している。接点機構部３は、図１、図２、図４および図６に示すように、上記電路を通電させるオン位置と、上記電路を遮断するオフ位置との間で操作部３ａを揺動可能に構成されている。図６では、操作部３ａの揺動方向を破線の両矢印で例示している。
【００４０】
接点機構部３は、操作部３ａをオン位置にすることで、２つの可動端子１５ｆのうち、一方の可動端子１５ｆが第１ピン接続体１５ａの第１端子部１５ｄと第２端子部１５ｅとの間を電気的に接続させる。一方の可動端子１５ｆは、第１端子部１５ｄに接触する接触位置と、第１端子部１５ｄから離れる離間位置との間を移動可能な構成としている。同様に、接点機構部３は、操作部３ａをオン位置にすることで、２つの可動端子１５ｆのうち、他方の可動端子１５ｆが第２ピン接続体１５ｂの第２端子部１５ｅと第３端子部１５ｇとの間を電気的に接続させる。他方の可動端子１５ｆは、第３端子部１５ｇに接触する接触位置と、第３端子部１５ｇから離れる離間位置との間を移動可能な構成としている。
【００４１】
操作部３ａは、背面側に突出する一対の筒部３ｃを備えている。操作部３ａは、樹脂材料により形成されている。操作部３ａは、コイルばね３ｂと、滑動子１５ｋとの組を各筒部３ｃに収納している。操作部３ａは、滑動子１５ｋがコイルばね３ｂにより弾性力が付与されて筒部３ｃから進退自在に突出するように構成されている。接点機構部３は、操作部３ａの揺動動作に応じて、筒部３ｃ内に収められた滑動子１５ｋが可動端子１５ｆの表面を滑りながら移動する。可動端子１５ｆは、一端に半円柱状の第１可動接点３ｅを備えており、一端と反対の他端には、滑動子１５ｋにより押圧される壁部１３ｍが設けられている。可動端子１５ｆは、第２接続片１３ｅの支点突起１３ｅ１に載せ置かれ、支点突起１３ｅ１を支点として揺動自在となるように構成されている。接点機構部３は、操作部３ａの操作に応じて、滑動子１５ｋが可動端子１５ｆの表面を移動することで可動端子１５ｆを可動させることができる。
【００４２】
操作部３ａは、滑動子１５ｋが可動端子１５ｆの表面を移動することにより、可動端子１５ｆを第２端子部１５ｅに沿った方向から第２端子部１５ｅに対して立ち上がる方向に変位させる。可動端子１５ｆは、第２端子部１５ｅに対して立ち上がれば、可動端子１５ｆの第１可動接点３ｅが第１接続片１３ｄと接触する。
【００４３】
接点機構部３は、操作部３ａの操作に応じ、第１ピン接続体１５ａにおいて、可動端子１５ｆが第１端子部１５ｄと第２端子部１５ｅとに接触する接触位置と、可動端子１５ｆが第１端子部１５ｄから離れる離間位置との間で可動できるように構成されている。接点機構部３は、可動端子１５ｆが第１端子部１５ｄと第２端子部１５ｅとに接触する接触位置において、可動端子１５ｆと第１端子部１５ｄと第２端子部１５ｅとを電気的に接続させて、上記電路を通電状態とすることができる。接点機構部３は、可動端子１５ｆが第１端子部１５ｄから離れる離間位置において、可動端子１５ｆと第１端子部１５ｄとが電気的に絶縁された状態にさせて、上記電路を遮断することができる。同様に、接点機構部３は、操作部３ａの操作に応じ、第２ピン接続体１５ｂにおいて、可動端子１５ｆが第３端子部１５ｇと第２端子部１５ｅとに接触する接触位置と、可動端子１５ｆが第３端子部１５ｇから離れる離間位置との間で移動できるように構成されている。言い換えれば、配線器具１０は、ユーザの操作部３ａの操作に応じて、接点機構部３が負荷への給電をオン・オフすることができるように構成されている。
【００４４】
操作部３ａは、操作部３ａの短手方向において対向する両側面それぞれから突出する突起３ｄが設けられる。操作部３ａは、第１カバー１１ｂの第１貫通孔１１ｂｅに挿入されて、プレート４の第３貫通孔４ｂｃで露出するように配置される。すなわち、プレート４の第３貫通孔４ｂｃは、第１カバー１１ｂの第１貫通孔１１ｂｅに取り付けられた操作部３ａによって塞がれる。操作部３ａの突起３ｄは、第１カバー１１ｂに設けた図示していない第５溝に支持される。第５溝は、突起３ｄの軸受部を構成している。操作部３ａは、突起３ｄが第５溝に回転可能に支持されることで、第１カバー１１ｂに対して揺動自在に取り付けられている。
【００４５】
配線器具１０は、正面視において、コンセント部１の挿入口１ｃと、漏電検知制御部２のハンドル２ｄとの間であって、ハンドル２ｄよりも挿入口１ｃに近い位置に操作部３ａが配置されている。操作部３ａは、オン位置およびオフ位置のいずれにおいても、配線器具１０の表面１０ａａから操作部３ａが突出するように構成されている。配線器具１０は、ハンドル２ｄよりも挿入口１ｃに近い位置に操作部３ａが配置されていることにより、ユーザが特に意識することなく、漏電検知制御部２のハンドル２ｄよりも接点機構部３の操作部３ａを先に操作させやすくできる。配線器具１０は、漏電検知制御部２よりも接点機構部３の操作を先に操作させやすくすることで、上記電路が漏電状態にあることをユーザに認識させやすくすることができる。
【００４６】
次に、漏電検知制御部２は、図３や図５に示すように、第２器体２１を備えている。第２器体２１は、直方体状の外形形状をしており、内部が空洞な箱体を構成している。第２器体２１は、第２ボディ２１ａと、第２カバー２１ｂとで構成されている。
【００４７】
第２ボディ２１ａは、有底角筒状の外形形状としている。第２ボディ２１ａは、側面２１ａａから外方に向かって突出する爪部２１ｃを備えている。爪部２１ｃは、対向する側面２１ａａにそれぞれ２個ずつ設けられている。２個の爪部２１ｃは、側面２１ａａにおいて、第２ボディ２１ａの長手方向に並んで設けられている。第２ボディ２１ａは、電気絶縁性の樹脂材料により形成することができる。第２ボディ２１ａは、電気絶縁性の樹脂材料として、たとえば、ＡＢＳ樹脂やユリア樹脂などを用いて形成することができる。第２ボディ２１ａは、たとえば、加熱溶融させた樹脂材料を金型内に射出注入し、冷却固化させる射出成形により形成することができる。
【００４８】
第２カバー２１ｂは、第２ボディ２１ａの開口２１ａｂを塞ぐことができるように、有底角筒状の外形形状としている。第２カバー２１ｂは、第２ボディ２１ａと嵌め合わせて結合できるように、爪部２１ｃが引っ掛かる引掛部２１ｄａを有する引掛片２１ｄを備えている。第２カバー２１ｂは、対向する引掛片２１ｄを２組備えている。引掛片２１ｄは、第２ボディ２１ａの側面２１ａａに当接し、第２ボディ２１ａを挟み持つことができるように構成されている。第２カバー２１ｂは、ハンドル２ｄが露出する第１窓部２１ｂａを備えている。第２カバー２１ｂは、電気的な絶縁性を有する合成樹脂材料により形成されている。第２カバー２１ｂは、電気絶縁性の樹脂材料として、たとえば、ＡＢＳ樹脂やユリア樹脂などを用いて形成することができる。第２カバー２１ｂは、たとえば、加熱溶融させた樹脂材料を金型内に射出注入し、冷却固化させる射出成形により形成することができる。
【００４９】
第２ボディ２１ａは、隔壁によって、複数の収容部を構成する区画に仕切られている。第２ボディ２１ａは、外部電源と電気的に接続可能な端子部を収容する端子収容部を備えている。外部電源は、たとえば、配線器具１０の外部に設けられた商用交流電源が挙げられる。第２器体２１には、商用交流電源の一方と電気的に接続させる端子部として、第４接続端子２９ｃを備えている。第２器体２１には、商用交流電源の他方と電気的に接続させる端子部として、第５接続端子２９ｄを備えている。第４接続端子２９ｃや第５接続端子２９ｄは、矩形角筒状の外形形状に形成している。以下では、便宜上、第４接続端子２９ｃを収容する端子収容部を、第１収容部２１ｈとし、第５接続端子２９ｄを収容する端子収容部を、第２収容部２１ｉと称する。
【００５０】
第２ボディ２１ａは、コンセント部１と電気的に接続させる端子部を収容する端子収容部を備えている。第２器体２１は、第１電線８ａを介してコンセント部１と電気的に接続させる端子部として第６接続端子２９ａを備えている。第２器体２１は、第２電線８ｂを介してコンセント部１と電気的に接続させる端子部として第７接続端子２９ｂを備えている。第６接続端子２９ａや第７接続端子２９ｂは、矩形角筒状の外形形状に形成している。以下では、便宜上、第６接続端子２９ａを収容する端子収容部を、第３収容部２１ｊとし、第７接続端子２９ｂを収容する端子収容部を第４収容部２１ｋと称する。
【００５１】
端子接点部２７ａは、端部に設けられた差込端が角筒状の第６接続端子２９ａや第７接続端子２９ｂの内部に挿通される。端子接点部２７ａは、差込端と、第６接続端子２９ａや第７接続端子２９ｂに螺子合いする螺子２７ｂとの間で、図示していない電線を挟み込んで保持できるように構成されている。
【００５２】
漏電検知制御部２は、接点部２２と開閉制御部２３と開閉器２５とを、第２器体２１に収容している。漏電検知制御部２は、接点部２２と連動して移動するハンドル２ｄを備えている。ハンドル２ｄは、合成樹脂材料を用いて形成されている。
【００５３】
接点部２２は、固定接点部２２ａと、可動接触子２２ｂとを備えている。開閉器２５は、可動接触子２２ｂが固定接点部２２ａに接触する接触位置と、可動接触子２２ｂが固定接点部２２ａから離れた離間位置との間を移動させることができるように構成されている。接点部２２は、固定接点部２２ａと、可動接触子２２ｂとの組を２組備えている。
【００５４】
固定接点部２２ａは、一端に固定接点２２ｃが設けられ、一端と反対の他端に差込部２２ｇが設けられている。差込部２２ｇは、角筒状の第４接続端子２９ｃや第５接続端子２９ｄの内部に挿通可能に構成されている。固定接点部２２ａは、金属板に打ち抜き加工や折り曲げ加工を施して形成することができる。固定接点部２２ａの材料としては、たとえば、銅などを用いることができる。固定接点部２２ａは、第４端子部２６の一部を構成している。第４端子部２６は、図示していない電源側の電線を電気的に接続するために用いられる。第４端子部２６は、固定接点部２２ａの差込部２２ｇと、第４接続端子２９ｃに螺子合いする螺子との間で、電源側の電線を挟み込んで保持できるように構成されている。
【００５５】
可動接触子２２ｂは、固定接点部２２ａと接触する接触位置で、固定接点部２２ａの固定接点２２ｃと当接する可動接点２２ｄを備えている。可動接触子２２ｂは、長尺状の平板に形成されている。可動接触子２２ｂは、一端に可動接点２２ｄを備え、一端と反対の他端が固定螺子２２ｅにより第２ボディ２１ａにねじ止め固定される。可動接触子２２ｂは、開閉器２５の可動フレーム２５ｈにより第２ボディ２１ａ側に押圧されることで、固定接点部２２ａと電気的に接続できるように構成されている。可動接触子２２ｂは、開閉器２５と連動して、固定接点部２２ａに接触する接触位置と固定接点部２２ａから離れた離間位置との間で移動できるようになっている。可動接触子２２ｂは、金属板に打ち抜き加工や折り曲げ加工を施して形成することができる。可動接触子２２ｂの材料としては、たとえば、銅などを用いることができる。
【００５６】
開閉制御部２３は、図示していないが、引外し装置を備えている。引外し装置は、後述する開閉器２５におけるフレーム部２５ａからプレート部２５ｉを引き外すことができるように駆動する。開閉制御部２３は、地絡で生じた漏電を検知できるように構成されている。開閉制御部２３は、漏電を検知して、引外し装置で開閉器２５を駆動させることができるように構成されている。開閉制御部２３は、漏電を検知するために、零相変流器２３ａを備えている。漏電検知制御部２は、商用交流電源からの電流を通電する電線を零相変流器２３ａの内部に挿入できるように構成されている。開閉制御部２３は、零相変流器２３ａからの出力を増幅する増幅回路を備えている。開閉制御部２３は、各種の電子部品２３ｃを実装した回路基板を備えている。回路基板は、たとえば、外形が矩形状のプリント配線板を利用することができる。開閉制御部２３は、たとえば、トランジスタ、抵抗、コンデンサ、ダイオード、バリスタ、サイリスタ、ＩＣ（Integrated Circuit）などの電子部品２３ｃを備えた構成とすることができる。開閉制御部２３は、漏電を検出する零相変流器２３ａに加え、漏電検知制御部２の動作状態を表示する表示部３ｆを備えた構成とすることもできる。表示部３ｆは、発光ダイオード２３ｄを用いて構成することができる。漏電検知制御部２は、正常状態であるか、上記電路に漏電が生じて異常状態であるかを発光ダイオード２３ｄの点灯状態によって表示する。漏電検知制御部２では、上記電路が通電状態の場合、上記電路からの電力を発光ダイオード２３ｄに供給して点灯させる構成とすることができる。
【００５７】
漏電検知制御部２は、第２カバー２１ｂの正面側において、第２窓部２１ｂｂで露出するテスト釦２８ａを備えている。漏電検知制御部２は、通電中にテスト釦２８ａを押圧して、導電性の接点ばね２８ｂをプリント配線板２３ｂの図示していないリード端子に接触させることで、人為的に地絡状態を作り出すことができるように構成している。漏電検知制御部２は、接点ばね２８ｂをリード端子に接触させると零相変流器２３ａから信号が出力されて、引外し装置を駆動させる。
【００５８】
漏電検知制御部２では、通常状態において、零相変流器２３ａから信号が出力されない。漏電検知制御部２では、地絡時に零相変流器２３ａから信号が出力される。配線器具１０は、零相変流器２３ａからの信号を検出することで、配線器具１０から外部の負荷への上記電路の何れかで地絡が発生したことを検出することができる。開閉制御部２３は、零相変流器２３ａの巻線から出力される信号を増幅した電圧値が所定値よりも大きければ、地絡が生じているとして、引外し装置を作動させる。
【００５９】
引外し装置は、図示していないが、固定鉄芯と、固定鉄芯に近づく位置と固定鉄芯から離れる位置との間で移動する可動鉄芯と、可動鉄芯に接続されたプランジャと、可動鉄芯を電磁力により移動させる電磁石装置とを備えている。引外し装置は、零相変流器２３ａにより漏洩電流を検知した場合、開閉制御部２３が電磁石装置を駆動させて、可動鉄芯を移動させる。引外し装置は、可動鉄芯の移動に伴いプランジャを駆動させることができる。引外し装置は、プランジャの先端をプレート部２５ｉの溝部２５ｉ１に引き掛けている。引外し装置は、プランジャでプレート部２５ｉをフレーム部２５ａから引き離すように引いてトリップ動作を行わせる。
【００６０】
開閉器２５は、接点部２２を電気的にオフ状態とすることができるように構成されている。開閉器２５は、ユーザによるハンドル２ｄの操作により、接点部２２のオン状態とすることができるように構成されている。開閉器２５は、接点部２２の開閉と連動するようにハンドル２ｄを移動させることができるように構成されている。
【００６１】
ハンドル２ｄは、接点部２２が閉極する第１位置と接点部２２が開極する第２位置との間で回転可能に構成されている。ハンドル２ｄは、図６に示すように、上記第１位置において表面１０ａａに沿った平らな第１面２ｄａを備えており、上記第２位置において第１面２ｄａが表面１０ａａに対して傾斜するように突出するように構成されている。図６では、表面１０ａａから突出したハンドル２ｄを二点鎖線で図示している。
【００６２】
配線器具１０では、ハンドル２ｄは、接点部２２が閉極する第１位置と接点部２２が開極する第２位置との間で回転可能に構成されている。ハンドル２ｄは、上記第１位置において表面１０ａａに沿った平らな第１面２ｄａを備えており、上記第２位置において第１面２ｄａが表面１０ａａに対して傾斜するように突出している。操作部３ａは、上記電路を通電させるオン位置と上記電路を遮断するオフ位置との間で揺動可能に構成されている。操作部３ａは、オン位置とオフ位置の何れにおいても、表面１０ａａに対して傾斜するように突出していることが好ましい。
【００６３】
配線器具１０は、上記電路が遮断されたことを、より的確にユーザに認識させることが容易となる。
【００６４】
開閉器２５は、図５、図７および図８に示すように、フレーム部２５ａと、第1軸部２５ｂと、リンク部２５ｃと、第２軸部２５ｄと、第３軸部２５ｅと、第１ばね２５ｆとを備えている。また、開閉器２５は、レバー２５ｇと、可動フレーム２５ｈと、プレート部２５ｉと、第４軸部２５ｊと、第２ばね２５ｋとを備えている。
【００６５】
フレーム部２５ａは、断面視において、Ｃ字形状に形成されており、対向する一対の側壁部２５ａ１を備えている。側壁部２５ａ１は、厚み方向に貫通する貫通孔２５ａｂを、先端部に備えている。フレーム部２５ａは、一対の側壁部２５ａ１の間に、ハンドル２ｄの一部を挿入することができるように構成されている。フレーム部２５ａは、貫通孔２５ａｂに第1軸部２５ｂが挿通されている。第1軸部２５ｂは、一対の側壁部２５ａ１の間に挿入されたハンドル２ｄにも挿通されている。ハンドル２ｄは、フレーム部２５ａに対して、第1軸部２５ｂ周りに回転可能に構成されている。第１ばね２５ｆは、両端部が互いに逆方向に突出するねじりコイルばねにより形成されている。第１ばね２５ｆは、第1軸部２５ｂの軸周りに巻回され、一端部がハンドル２ｄに当接するように突出し、他方部が第３軸部２５ｅに引っ掛けられるように構成されている。ハンドル２ｄは、第１ばね２５ｆによって、ハンドル２ｄが表面１０ａａから突出する方向に弾性力が付与されている。ハンドル２ｄは、第1軸部２５ｂの軸方向と平行に第２軸部２５ｄが挿通できるように構成されている。
【００６６】
リンク部２５ｃは、長尺の板状に形成されている。リンク部２５ｃは、一端に第２軸部２５ｄが挿通され、ハンドル２ｄに保持されている。リンク部２５ｃは、一端と反対の他端に第３軸部２５ｅが挿通される。第３軸部２５ｅは、レバー２５ｇに挿通されている。レバー２５ｇは、長尺の板状に形成されている。レバー２５ｇは、板状の短手方向が折り曲げられた対向する側片２５ｇ１を備えている。レバー２５ｇは、側片２５ｇ１に第３軸部２５ｅが挿通されるピン孔２５ｇａを備えている。リンク部２５ｃは、第３軸部２５ｅにより、レバー２５ｇを回転可能に保持している。フレーム部２５ａの側壁部２５ａ１には、第３軸部２５ｅの移動をガイドするガイド溝２５ａｃが設けられている。
【００６７】
第２ばね２５ｋは、両端部が互いに逆方向に突出するねじりコイルばねにより形成されている。第２ばね２５ｋは、中央の巻回部に第４軸部２５ｊが挿通されて、巻回部から延出する一端部がフレーム部２５ａに当接しており、巻回部から延出する他端部がプレート部２５ｉと当たっている。第２ばね２５ｋは、図７および図８中において、プレート部２５ｉが第４軸部２５ｊの軸部回りに時計回りで回転する方向へ弾性力を付与している。
【００６８】
開閉器２５は、ハンドル２ｄが回転すると、リンク部２５ｃを介して、第３軸部２５ｅがガイド溝２５ａｃに沿って移動する。開閉器２５では、ハンドル２ｄが表面１０ａａから突出した状態から表面１０ａａに沿った状態になる場合、レバー２５ｇは、一端がプレート部２５ｉで支持されて第３軸部２５ｅの軸周りに回転することにより、可動フレーム２５ｈを押圧する。可動フレーム２５ｈは、平板状に形成されており、レバー２５ｇに押圧される一端と反対の他端が接点部２２の可動接触子２２ｂを押圧できるように構成されている。接点部２２では、可動フレーム２５ｈによる可動接触子２２ｂの押圧で、可動接触子２２ｂと固定接点部２２ａとが接触するように構成されている。
【００６９】
開閉器２５は、プレート部２５ｉが第２ばね２５ｋの弾性力に抗して、フレーム部２５ａから離れる向きに回転すると、レバー２５ｇの一端がプレート部２５ｉから外れる。レバー２５ｇは、一端がプレート部２５ｉから外れると、第３軸部２５ｅの軸周りに回転する。レバー２５ｇは、第３軸部２５ｅの軸周りに回転し、可動フレーム２５ｈは、可動接触子２２ｂの弾性力によりフレーム部２５ａに沿って持ち上げられる。また、レバー２５ｇは、ハンドル２ｄが第１ばね２５ｆの弾性力により回転して、リンク部２５ｃにより引き上げられる。
【００７０】
開閉器２５では、引外し装置のプランジャによりプレート部２５ｉが第２ばね２５ｋの弾性力に抗して引かれて、プレート部２５ｉが第４軸部２５ｊを中心として、フレーム部２５ａに対して反時計回りに回転する。開閉器２５では、プレート部２５ｉの回転に伴って、レバー２５ｇの一端と、プレート部２５ｉとの係り合いが外れると、第１ばね２５ｆの弾性力により、ハンドル２ｄが配線器具１０の表面１０ａａから突出する向きに移動する。開閉器２５は、ハンドル２ｄの回転に伴いリンク部２５ｃが引き起こされて、レバー２５ｇがフレーム部２５ａのガイド溝２５ａｃに沿って移動する。開閉器２５は、レバー２５ｇの移動に伴って、レバー２５ｇが可動フレーム２５ｈを押圧する力がなくなる。可動フレーム２５ｈは、レバー２５ｇに押圧されなくなると、可動接触子２２ｂが固定接点部２２ａから離れ、上記電路を遮断することができる。開閉器２５では、ハンドル２ｄの回転に伴ってリンク部２５ｃが引き上げられており、レバー２５ｇの一端が再びプレート部２５ｉに係り合う状態となる。
【００７１】
ところで、配線器具１０は、ハンドル２ｄの第１位置において、ハンドル２ｄの第１面２ｄａが配線器具１０の表面１０ａａに沿った構成とすることで、表面１０ａａをすっきりとさせて、ユーザに対する見栄えの良さを強調することができる。また、配線器具１０は、ハンドル２ｄの第２位置において、配線器具１０の表面１０ａａからハンドル２ｄが突出することで、漏電状態であることをユーザに認識させることが可能となる。ここで、配線器具１０は、ハンドル２ｄの第１面２ｄａが表面１０ａａに対して傾斜するように突出する構成とすることで、ハンドル２ｄの第１面２ｄａが表面１０ａａに対して垂直に真っ直ぐに飛び出す構成と比較して、ユーザの視認性を高めることが可能になる。また、配線器具１０は、ハンドル２ｄの第１面２ｄａが表面１０ａａに対して傾斜するように突出することで、配電盤に収納されるブレーカの動きをユーザに連想させ、上記電路が遮断されたことをユーザに認識させることが容易となる。
【００７２】
配線器具１０では、ハンドル２ｄは、第１面２ｄａが表面１０ａａに対して傾斜するように突出した状態で、表面１０ａａに沿った平らな第２面２ｄｂを備えていることが好ましい。これにより、配線器具１０では、第１面２ｄａが表面１０ａａに対して傾斜するように突出した状態で、第２器体２１の内部が露出することを抑制し、ユーザに対する見栄えを良くすることができる。
【００７３】
また、配線器具１０では、ハンドル２ｄは、第１面２ｄａと第２面２ｄｂとに連続して、第２面２ｄｂと垂直な方向に沿った第３面２ｄｃを備えていることが好ましい。
【００７４】
配線器具１０では、第１面２ｄａが表面１０ａａに対して傾斜するように突出した状態で、表面１０ａａに沿った平らな第２面２ｄｂと、第２面２ｄｂに垂直な方向に沿った第３面２ｄｃとにより、ユーザの視認性を高めることが可能となる。
【００７５】
漏電検知制御部２は、矩形枠状の取付枠６に第２器体２１が挿入され、取付枠６に取り付けることができるように構成されている。取付枠６は、固定ねじ１１ｄを用いて、コンセント部１の第１カバー１１ｂに対し、ねじ止めできるように構成されている。取付枠６は、合成樹脂材料により形成されている。漏電検知制御部２は、コンセント部１における第１カバー１１ｂの長手方向の一端部と反対の他端部に配置されている。漏電検知制御部２は、第１カバー１１ｂの他端部に設けられた矩形状の第２貫通孔１１ｂｄから第２カバー２１ｂの第２突台部２１ｂ１が露出するように取り付けられる。配線器具１０は、コンセント部１と漏電検知制御部２とを別体に構成している。配線器具１０は、コンセント部１と漏電検知制御部２とを別体に構成していることで、コンセント部１におけるプラグとの接触点での熱が電子回路を備えた漏電検知制御部２に熱伝導することを抑制することができる。配線器具１０は、コンセント部１からの熱が漏電検知制御部２への熱伝導を抑制できることで、熱による漏電検知制御部２の誤作動を抑制することが可能となる。
【００７６】
プレート４は、コンセント部１や漏電検知制御部２と別体に形成させている。プレート４は、コンセント部１や漏電検知制御部２と着脱自在に取り付けられる。プレート４は、樹脂材料により形成させることができる。プレート４は、第１カバー１１ｂに被せて取り付けられている。プレート４は、配線器具１０の化粧プレートを構成している。プレート４は、合成樹脂材料により形成されている。プレート４は、長方形状の主部４ａと、主部４ａの周側縁から背面側へ枠状に突出するように設けられた側部４ｂとを備えている。プレート４は、一面４ａａが配線器具１０の表面１０ａａとなる。主部４ａは、第１カバー１１ｂの第１突台部１１ｂ１を正面側に露出させるＴ字状の第１窓孔４ｃａが設けられている。主部４ａは、第１カバー１１ｂの第１貫通孔１１ｂｅに対応する位置に、第１貫通孔１１ｂｅと連通する矩形状の第３貫通孔４ｂｃが設けられている。プレート４は、正面視において、第３貫通孔４ｂｃを介して、第１窓孔４ｃａと反対側に第２窓孔４ｂｄを備えている。第２窓孔４ｂｄは、第１カバー１１ｂの第２貫通孔１１ｂｄに対応する位置に設けられている。第２窓孔４ｂｄは、第２貫通孔１１ｂｄと連通する矩形状としている。主部４ａは、第２窓孔４ｂｄにおいて、漏電検知制御部２の第２突台部２１ｂ１を正面側に露出させる。プレート４は、正面視において、コンセント部１の第１突台部１１ｂ１と、漏電検知制御部２の第２突台部２１ｂ１との間に、接点機構部３の操作部３ａが露出できるように構成している。
【００７７】
本実施形態の配線器具１０は、第１カバー１１ｂに複数個の挿入口１ｃが開口する第１突台部１１ｂ１を１つ設けている。配線器具１０は、第１突台部１１ｂ１を１つだけ設けた構成に限られない。配線器具１０は、複数個の第１突台部１１ｂ１を設けてもよい。配線器具１０は、複数個の第１突台部１１ｂ１を設ける場合、第１カバー１１ｂの背面に複数個の第１突台部１１ｂ１に対応する複数個の第１ボディ１１ａを設けて構成すればよい。
【００７８】
本実施形態の配線器具１０では、操作部３ａがハンドル２ｄよりも挿入口１ｃに近い位置にあるので、ハンドル２ｄが突出して上記電路が遮断されている場合、ユーザは、最初に操作部３ａを操作する傾向にある。ユーザは、配線器具１０の操作部３ａを操作しても、上記電路への通電が復帰しなければ、違和感を生ずる可能性がある。また、ユーザは、上記電路への通電を復帰させるため、操作部３ａに加えてハンドル２ｄを操作する場合、操作部３ａとハンドル２ｄの２段階に操作を行うことに、違和感を生ずる可能性がある。配線器具１０は、ユーザに違和感を生じさせることにより、上記電路に不具合があることを推測させることが可能となる。
【符号の説明】
【００７９】
１  コンセント部
１ｃ  挿入口
２  漏電検知制御部
２ｄ  ハンドル
２ｄａ  第１面
３  接点機構部
３ａ  操作部
１０  配線器具
１０ａａ  表面
２２  接点部
２３  開閉制御部
２５  開閉器
【図１】
2016019313.tif 000003
【図２】
2016019313.tif 000004
【図３】
2016019313.tif 000005
【図４】
2016019313.tif 000006
【図５】
2016019313.tif 000007
【図６】
2016019313.tif 000008
【図７】
2016019313.tif 000009
【図８】
2016019313.tif 000010